(57)【特許請求の範囲】
【請求項１】
特定画像が記録されたシート状の白色光再生型ホログラムから、画像記録部分の一部を任意形状に除去してなるホログラムを、透明板に貼り付けた構成のホログラム・チェック用プレート。
【請求項２】
特定画像が記録されたシート状の半透明の白色光再生型ホログラムを、透明板に貼り付けた構成のホログラム・チェック用プレート。
【請求項３】
請求項１または２に記載のホログラム・チェック用プレートを構成する白色光再生型ホログラムが真正品のホログラムであり、真偽判別を図りたいホログラムの表面に、前記のホログラム・チェック用プレートを重ね合わせて、双方のホログラムからの回折光（表示パターン）を視覚して、その繋がりや違和感の有無により、真偽判別を図る方法。
【発明の詳細な説明】
【０００１】
【発明の属する技術分野】
本発明は、白色光での観察条件下で表示パターンが視覚され、特にクレジット・カードや有価証券などの偽造防止を目的とし、それらにセキュリティ性を付与するために付加されるホログラム自体の真偽判別のためのツールに関する。
【０００２】
特に、特別に大がかりな装置を要することなく、ホログラムからの再生パターンの位置や大きさなどをチェックすることで、似て非なる再生パターンが再生されるような模造ホログラムについて、ホログラムに精通していない者でも簡単に判別できるようにしたチェック用プレートを提供することを目的とする。
【０００３】
【従来の技術】
従来から、上記の偽造防止を目的として、白色光再生型（白色光での観察条件下で表示パターンが視覚されるタイプ）のホログラムが用いられている。
白色光再生型のホログラムの一種として、レインボウタイプのエンボスホログラムの作製方法の一例を以下に説明する。
【０００４】
まず、例えば図１に示すような光学系を用いて、フレネルホログラムを乾板１に記録する。同図に示すように、フレネルホログラムは、被写体（猫）から発散される３次元情報を持つレーザー光（物体光）と３次元情報を持たないレーザー光（参照光）とが干渉して記録される。
【０００５】
次に、例えば図２に示すような光学系で、フレネルホログラム１にスリット２をかけて、フォトレジスト乾板３上にレインボウホログラムを記録する。
レインボウホログラムでは、スリットの開口形状（横長）に応じて、上下方向の視差情報は記録されず、左右方向の視差情報がホログラムとして記録される。
【０００６】
次いで、レインボウホログラムの原版（フォトレジスト乾板３）から、メッキなどの方法で、図３に示すように金型４を作製する。
図４に示すように、この金型４を用いて、熱可塑性樹脂シートなどにエンボス成型して、レインボウホログラムのレリーフ（凹凸）を複製した後に、レリーフ表面にアルミなどの蒸着を施すことで、エンボスホログラム５が得られる。
【０００７】
以上は、白色光再生型のホログラムの一種として、レインボウタイプのエンボス（レリーフ）ホログラムの作製方法に係る一例であるが、このように、エンボスホログラムの作製にあたっては、撮影記録→メッキ→エンボス複製などの多くの工程が必要であるため、ホログラムの偽造品を作製するのが難しく、偽造防止用として有用であった。
【０００８】
昨今では、エンボスホログラムの普及に伴い、その作製技術を保有する業者・メーカーが増加しており、例えば、真正（本物）のホログラム製品が出回っていない地域のメーカーに、偽造を試みる人が、同じ絵柄のホログラムの作製を依頼することによって、似て非なる表示パターン（画像）を有するホログラムを模造することができる。
最初から真正品の存在を知らない人にとっては、模造品であるか否かは判別のしようがなく、それが全体として違和感のないホログラムである限り、真正品としか認定できないことになる。
【０００９】
尚、「模造」とは、真正品そのものを出発点とせず、真正品を真似て最初から作ることであり、「偽造」は、真正品そのものの最終形態を真似て作ること、というように、本明細書中では定義する。
【００１０】
また、本発明は、白色光再生型であれば、エンボス（レリーフ）ホログラムに限らず、リップマン・ホログラムなどの体積型ホログラムでも適用しうる。
【００１１】
【発明が解決しようとする課題】
このような、似て非なるパターンを有する模造ホログラムが、真正品であるか否かの判別を行なうことは、ホログラムに精通している者にとっても困難であるため、ホログラムの「セキュリティ・ツール」としての信頼性に影響を及ぼすことになり、このことは、ホログラムに精通していない者にとっては、一層顕著である。
本発明は、極めて簡便にホログラムが真正品であるか否かの判別を行なうことが可能な手法（ツール）を提供することを目的とする。
【００１２】
【課題を解決するための手段】
そもそも、比較対象である真正品を知らない場合には、ホログラムが模造品であるか否かの判別も不可能である。
本発明では、真正品の一部分と、真偽判別の対象となるホログラムの（前記の一部分の）他の部分とが、違和感なく繋がって視覚されるか否かを、極めて簡便に比較できるようにする。
【００１３】
すなわち、請求項１の発明は、
特定画像が記録されたシート状の白色光再生型ホログラム（真正品）から、画像記録部分の一部を任意形状に除去してなるホログラムを、透明板に貼り付けた構成のホログラム・チェック用プレートである。
【００１４】
請求項２の発明は、
特定画像が記録されたシート状の半透明の白色光再生型ホログラム（真正品）を、透明板に貼り付けた構成のホログラム・チェック用プレートである。
【００１５】
請求項３の発明は、
請求項１または２に記載のホログラム・チェック用プレートを構成する白色光再生型ホログラムが真正品のホログラムであり、真偽判別を図りたいホログラムの表面に、前記のホログラム・チェック用プレートを重ね合わせて、双方のホログラムからの回折光（表示パターン）を視覚して、その繋がりや違和感の有無により、真偽判別を図る方法である。
【００１６】
＜作用＞
本発明のホログラム・チェック用プレートを、真偽判定を図るホログラムに重ね合わせることによって、真正品であるホログラムからの回折光（表示パターン）と偽造品（または、模造品）かもしれないホログラムからの回折光（表示パターン）を、同時に比較して、双方のホログラムからの回折光（表示パターン）が違和感なく繋がっており、表示パターンが同一のものであるか否かを、ホログラムに精通しておらず、比較対象である真正品を知らない者にとっても極めて簡便に判断できる。
【００１７】
【発明の実施の形態】
＜実施形態１＞
以下、本発明の方法について図面を用いて詳細に説明する。
図５は、請求項１の発明に係るホログラム・チェック用プレートの一例を示す説明図である。
すなわち、真正品である白色光再生型ホログラムは透明でなく、上述したエンボスホログラム（レリーフ面に金属蒸着が施されている）のように、下層を隠蔽するタイプのホログラムに係る説明である。
【００１８】
図５では、透明な板６の表面に、穴の開けてあるディスプレイホログラム７（真正品）が貼り付けられた構成となっている。穴を開ける部分は、ホログラムの画像が形成された領域内で、同図では、猫の耳，尾，左前足の３箇所であり、その形状は問わない。
【００１９】
上記のホログラム・チェック用プレートを用いて、真偽判別を図る手順は、
図６の左側が真偽判別を図りたいエンボスホログラム８であり、同図の右側がチェック用プレートを構成する真正品のエンボスホログラムに穴の開けてあるエンボスホログラム９である。
【００２０】
図７に示すように、エンボスホログラム８の上から、チェック用プレート１０を重ね合わせて、ホログラム９の画像と、穴を通して見えるホログラム８の画像が重なって見えることになる。
ホログラム８が真正品である場合には、双方のホログラムの表示画像はずれることなくぴったりと重なり、ホログラム９と同じ画像として観察されることになり、真正品と判定される。
【００２１】
一方、図８に示すように、ホログラム９に似せて作られた模造ホログラム１１の真偽判別を図る場合について説明する。
模造ホログラム１１の画像は、ホログラム９の画像に、見た目は似ているが、画像の形成位置や大きさまでが正確に一致するわけではないが、真正品と比較しない限り、画像としての違和感はなく、模造品とは分からない。
【００２２】
図９に示すように、模造ホログラム１１の上から、チェック用プレート１０を重ね合わせると、穴の部分で輪郭のずれた画像が観察されることになり、模造品であるということが、初めて判別できる。
【００２３】
本発明の応用例として、図１０に示すように、チェック用プレートを構成するホログラムの穴を開けていない箇所に、若干の変更（同図では、猫の首に鈴をつけている）を加えることも考えられる。
この場合は、穴を開けていない箇所での真偽判別は行なわれないが、チェック用プレートからの偽造の試みに対して、上記の変更がダミーのパターンとなり、偽造品にダミーのパターンが反映される場合に有効である。
ホログラム画像の領域外で変更を加える場合でも同様のことが言え、例えば、図１４に示すように、画像の背景の部分にダミーのパターン（同図では、小判）を加えても良い。
【００２４】
＜実施形態２＞
図１１は、請求項２の発明に係るホログラム・チェック用プレートの一例を示す説明図である。
すなわち、真正品である白色光再生型ホログラムは半透明であり、エンボスホログラムの場合は、レリーフ面にハーフミラーのような半透明性の蒸着が施されており、ホログラムの画像と下層の双方が視覚できるタイプのホログラムに係る説明である。
【００２５】
図１２の左側が真偽判別を図りたいエンボスホログラム８であり、同図の右側がチェック用プレートを構成する真正品のエンボスホログラム１３である。
本実施形態では、ホログラム（真正品）から、穴を開けるなどして、画像記録部分の一部を任意形状に除去する必要はない。
【００２６】
また、ホログラム１３の全面に渡って半透明性である必要もなく、図１１に示すように、部分的に下層を遮蔽する構成（同図では、猫の尾につけたリポンは、反射性蒸着層としている）としても良い。
【００２７】
本実施形態のホログラム・チェック用プレートを用いて、真偽判別を図る手順は、実施形態１と同様であり、図１３に示すように、２つのホログラムによるパターンがずれて重なった場合に、模造品であると判定される。
【００２８】
【発明の効果】
以上のように、本発明により、特別に大がかりな装置を要することなく、ホログラムからの再生パターンの位置や大きさなどをチェックすることで、似て非なる再生パターンが再生されるような模造（または、偽造）ホログラムについて、ホログラムに精通していない者でも簡単に真偽判別の可能なチェック用プレートが提供され、ホログラムの偽造防止効果を高めることになり、「セキュリティ・ツール」としての信頼性が向上する。
【００２９】
【図面の簡単な説明】
【図１】レインボウホログラムの撮影光学系（マスターとなるフレネル・ホログラムの撮影記録）の一例を示す説明図。
【図２】レインボウホログラムの撮影光学系（マスターからの最終ホログラムの撮影記録）の一例を示す説明図。
【図３】レインボウホログラム（フォトレジスト）から、金型を作製する状態を示す説明図。
【図４】レインボウホログラムをエンボス複製する状態を示す説明図。
【図５】本発明のチェック用プレートの一例を示す説明図。
【図６】真偽判別を図るホログラムと、チェック用プレート（図５）を構成するホログラムを示す説明図。
【図７】ホログラム・チェック用プレートを用いて、真偽判別を図る状態を示す説明図。
【図８】模造ホログラムの一例を示す説明図。
【図９】ホログラム・チェック用プレートを用いて、模造ホログラム（図８）の真偽判別を図る状態を示す説明図。
【図１０】チェック用プレートを構成するホログラムに変更を加えた一例を示す説明図。
【図１１】本発明のチェック用プレートの他例を示す説明図。
【図１２】真偽判別を図るホログラムと、チェック用プレート（図１０）を構成するホログラムを示す説明図。
【図１３】ホログラム・チェック用プレートを用いて、真偽判別を図る状態を示す説明図。
【図１４】チェック用プレートを構成するホログラムに変更を加えた一例を示す説明図。
【符号の説明】
６…透明板
７…画像記録部分の一部を任意形状に除去してなるホログラム
８…真偽判別を図るホログラム
10…ホログラム・チェック用プレート
12…半透明の白色光再生型ホログラム
【図１】
0004453134.tif 000002
【図２】
0004453134.tif 000003
【図３】
0004453134.tif 000004
【図４】
0004453134.tif 000005
【図５】
0004453134.tif 000006
【図６】
0004453134.tif 000007
【図７】
0004453134.tif 000008
【図８】
0004453134.tif 000009
【図９】
0004453134.tif 000010
【図１０】
0004453134.tif 000011
【図１１】
0004453134.tif 000012
【図１２】
0004453134.tif 000013
【図１３】
0004453134.tif 000014
【図１４】
0004453134.tif 000015